(57)【要約】【課題】暖房運転中においても浴室内の換気を行うことができ、且つ常時一定の換気風量を確保することが可能な浴室暖房乾燥機を提供する。【解決手段】浴室暖房乾燥機１は、浴室２内の空気を吸気口８から吸い込んで吹出口１０、排気口９の少なくとも一方へ供給する送風ファン１２と、送風ファン１２から吹出口１０、排気口９へ供給される空気の分配比率を設定するためのダンパ１５と、送風ファン１２から供給される空気を加温して吹出口１０から吹き出すためのヒータ１４とを備えている。送風ファン１２およびヒータ１４が稼働する暖房運転中、送風ファン１２から排気口９および吹出口１０の両方へ空気が供給される状態にダンパ１５を設定することにより、暖房運転中も浴室２内の換気を行うことができる。【選択図】  図２
2005291604.tif 000002
【特許請求の範囲】
【請求項１】
浴室内の空気を吸い込んで吹出口、排気口の少なくとも一方へ供給する送風ファンと、開閉により前記送風ファンから前記吹出口、前記排気口へ供給される空気の送風および分配比率を設定するためのダンパと、前記送風ファンから供給される空気を加温して前記吹出口から吹き出すためのヒータとを備え、少なくとも暖房運転モードおよび乾燥運転モードを有する浴室暖房乾燥機であって、前記送風ファンおよびヒータが稼働する前記暖房運転モード時に前記ダンパを前記排気口が開状態となるようにするとともに、該ダンパの開度を前記乾燥運転モード時より小さい開度に設定することを特徴とする浴室暖房乾燥機。
【請求項２】
浴室および／または他の居室に設けられた吸気口から空気を吸い込んで吹出口、排気口の少なくとも一方へ供給する送風ファンと、開閉により前記送風ファンから前記吹出口、前記排気口へ供給される空気の送風または分配比率を設定するダンパと、前記送風ファンから供給される空気を加温するヒータと、前記浴室および他の居室の吸気口に配設されたこれら吸気口の開度を調節するシャッタとを備え、少なくとも暖房運転モードおよび乾燥運転モードを有する浴室暖房乾燥機であって、前記送風ファンおよびヒータが稼働する前記暖房運転モード時に前記ダンパを前記排気口が開状態となるようにするとともに、該ダンパの開度を前記乾燥運転モード時より小さい開度に設定し、前記シャッタ開度を設定することを特徴とする浴室暖房乾燥機。
【請求項３】
前記ダンパの開度は、前記暖房運転中に換気量を段階的に設定可能とすることを特徴とする請求項１または２記載の浴室暖房乾燥機。
【請求項４】
前記シャッタは、前記浴室側吸気口を開閉させるべくスライド移動させることで、前記他の居室側の吸気口の開度を変化させる構成としたことを特徴とする請求項２または３記載の浴室暖房乾燥機。
【発明の詳細な説明】
【技術分野】
【０００１】
本発明は、戸建て住宅あるいは集合住宅などに設けられた浴室内の空気を換気したり、暖房したりする機能を備えた浴室暖房乾燥機に関する。
【背景技術】
【０００２】
近年の戸建て住宅や集合住宅などにおいては、浴室内の換気、暖房を行うために浴室暖房乾燥機を設置することが多くなっているが、従来の浴室暖房乾燥機として、例えば、特許文献１に記載のものがある。図７に示すように、従来の浴室暖房乾燥機７０においては、吸気口７１、吹出口７２および排気口７３を有する本体７７内に送風ファン７４が設けられ、吹出口７２にヒータ７４が配置され、本体７７内にダンパ７６が支軸７６ａを中心に揺動可能に設けられている。
【０００３】
ダンパ７６は、送風ファン７４によって浴室内の吸気口７１から吸い込まれた空気を吹出口７２、排気口７３に供給する際の分配比率を変更するためのものであり、浴室暖房乾燥機７０の運転モードに応じてその位置が設定される。
【０００４】
図７（ａ）に示す暖房運転時は、ダンパ７６は排気口７３に向かう空気流路を閉塞する位置にあり、送風ファン７４から供給される空気は全て吹出口７２のみから温風となって浴室内へ吹き出される。これにより、浴室内の温度は、図９に示すように、暖房運転開始から１０分経過後には２５℃に達し、１５分経過後には３０℃近くまで上昇し、その後は３０℃前後で推移する。
【０００５】
なお、浴室暖房乾燥機の暖房能力は、暖房運転開始から１５分経過後に浴室内の温度が２５℃に達する程度が望ましい。ここで、１５分という時間は浴槽に湯を張るのに要する平均的時間に基づいた数値であり、２５℃という温度は入浴する者が入浴中に寒さを感じない温度である。
【０００６】
また、換気運転時には、図７（ｂ）に示すように、ヒータ７５はＯＦＦ状態にあり、ダンパ７６は吹出口７２に向かう空気流路を閉塞する位置にあり、送風ファン７４から供給される空気は全て排気口７３へ排出される。
【０００７】
一方、乾燥運転時には、図７（ｃ）に示すように、ダンパ７６は、送風ファン７４から供給された空気を吹出口７２と排気口７３の両方に分流する位置にある。これにより、浴室内から吸い込まれた空気は吹出口７２から温風となって吹き出されると同時に、その一部は排気口７３から排出される。乾燥運転時の浴室内の温度は、図１０に示すグラフのように変化していくが、暖房運転開始から１５分経過しても１８℃程度であり、その後、徐々に昇温するものの、６０分経過後においても２５℃に達していないことが分かる。
【０００８】
【特許文献１】特開平９−１２６５１５（第３−６頁）
【発明の開示】
【発明が解決しようとする課題】
【０００９】
特許文献１などに記載された従来の浴室暖房乾燥機（浴室換気乾燥機）の場合、図７（ａ）に示す暖房運転時には、ダンパ７６が吹出口７２に向かう空気流路を閉塞する位置に設定されるため、送風ファン７４から供給される空気は、排気口７３に向かうことなく、全て吹出口７２から温風となって吹き出される。このように、従来の浴室暖房乾燥機は、浴室内の空気を循環しながら暖房するので、比較的短時間で効率良く適正温度（２５℃）まで上昇させることができる。
【００１０】
一方、建築基準法の改正により、居室全体から常時一定量の換気を行うことが義務づけられているが、浴室暖房乾燥機で居室全体を換気する場合、暖房運転中は排気口を閉じて換気を中止してしまうため、一定の換気量を確保することができない。
【００１１】
本発明が解決しようとする課題は、暖房運転中においても浴室内の換気を行うことができ、且つ常時一定の換気風量と、満足できる暖房性能とを確保できる浴室暖房乾燥機を提供することにある。
【課題を解決するための手段】
【００１２】
本発明の浴室暖房乾燥機は、浴室内の空気を吸い込んで吹出口、排気口の少なくとも一方へ供給する送風ファンと、開閉により前記送風ファンから前記吹出口、前記排気口へ供給される空気の送風および分配比率を設定するためのダンパと、前記送風ファンから供給される空気を加温して前記吹出口から吹き出すためのヒータとを備え、少なくとも暖房運転モードおよび乾燥運転モードを有する浴室暖房乾燥機であって、前記送風ファンおよびヒータが稼働する前記暖房運転モード時に前記ダンパを前記排気口が開状態となるようにするとともに、該ダンパの開度を前記乾燥運転モード時より小さい開度に設定することを特徴とする。
【００１３】
このような構成とすることにより、暖房運転中、浴室内から吸い込まれた空気の一部は排気口に供給され、排気口を経由して外部へ排出されることとなるため、暖房運転中においても浴室内の換気を行うことができるようになり、満足する暖房性能を維持するとともに、一定の換気風量を確保することが可能となる。
【００１４】
また、本発明の浴室暖房乾燥機は、浴室および／または他の居室に設けられた吸気口から空気を吸い込んで吹出口、排気口の少なくとも一方へ供給する送風ファンと、開閉により前記送風ファンから前記吹出口、前記排気口へ供給される空気の送風または分配比率を設定するダンパと、前記送風ファンから供給される空気を加温するヒータと、前記浴室および他の居室の吸気口に配設されたこれら吸気口の開度を調節するシャッタとを備え、少なくとも暖房運転モードおよび乾燥運転モードを有する浴室暖房乾燥機であって、前記送風ファンおよびヒータが稼働する前記暖房運転モード時に前記ダンパを前記排気口が開状態となるようにするとともに、該ダンパの開度を前記乾燥運転モード時より小さい開度に設定し、前記シャッタ開度を設定することを特徴とする。
【００１５】
このような構成とすれば、浴室および／または他の居室の換気および暖房を実行できるとともに、浴室および他の居室の吸気口に配設されたシャッタを移動させることで、浴室および他の居室の吸気口の吸気口の開度を調節できるため、一定の換気風量が常に維持できるよう調節でき、且つ快適な暖房を得ることができる。また、浴室のみから吸気したり、他の居室のみから吸気したり、浴室および他の居室から吸気したりすることができるため、換気したい場所や換気量の選択が可能となる。
【００１６】
ここで、前記ダンパおよび前記吸気ダンパの開度は、暖房運転中に換気風量を段階的に設定可能とすることが望ましい。このような構成とすることにより、予め決められた風量で換気できるダンパの開度を任意に設定することができるので、居室全体の面積に的確に対応した適切な風量で換気することが可能となる。
【００１７】
前記シャッタは、浴室側の吸気口を開閉させるべくスライド移動させることで、他の居室側の吸気口の開度を変化させる構成とすることができる。このような構成とすることにより、多室の換気量の調節が一つの機構で達成できるため浴室暖房乾燥機のコンパクト化を図ることができる。
【発明の効果】
【００１８】
本発明の浴室暖房乾燥機により、暖房運転中においても、一定の換気風量を維持しつつ満足のいく暖房性能を確保することができる。
【発明を実施するための最良の形態】
【００１９】
以下、図面に基づいて、本発明の実施の形態である浴室暖房乾燥機について説明する。図１は本発明の第１実施形態である浴室暖房乾燥機を浴室に設置した状態を示す斜視図であり、図２，図３は図１に示す浴室暖房乾燥機の垂直断面図である。
【００２０】
図１に示すように、本実施形態の浴室暖房乾燥機１は浴室２の天井２ａに配置され、本体ケーシング１ａに排気ダクト３が連結されている。また、浴室暖房乾燥機１を操作するためのリモコン部５が脱衣場６の壁面に配置され、リモコン部５と浴室暖房乾燥機１との間には制御用の配線７が設けられている。
【００２１】
図２に示すように、浴室暖房乾燥機１においては、本体ケーシング１ａに、吸気口８、排気口９、吹出口１０が設けられ、排気口９には排気ダクト３が接続されている。また、本体ケーシング１ａの内部には、モータ１３で駆動される送風ファン１２と、送風ファン１２から吹出口１０に供給される空気を加温するためのヒータ１４と、送風ファン１２から吹出口１０、排気口９へ供給される空気の分配比率を設定するためのダンパ１５とが設けられている。ダンパ１５は、空気流路１７に、支軸１５ａを中心に揺動可能に配置されている。
【００２２】
浴室暖房乾燥機１を暖房運転させる場合、図２に示すように、乾燥運転時に設定させたダンパ１５の開度と、従来の暖房運転時に設定させたダンパ１５の閉状態のときとの中間位置より更に排気口９側に寄せた位置（排気口９が少し開状態となる位置）にダンパ１５が設定される。したがって、送風ファン１２の作用により吸気口８から吸い込まれ外気流路１７に送り込まれる空気は、ダンパ１５で二方向に分流され、一方は排気口９に向かって流れ、他方は吹出口１０に向かって流れる。排気口９に向かって流れた空気は排気ダクト３へ流れ込み、その後、屋外へ排出される。吹出口１０に向かって流れた空気はヒータ１４によって加温され温風となって吹出口１０から浴室２へ吹き出す。
【００２３】
このように、暖房運転中、浴室２内から吸い込まれた空気は、温風となって吹出口１０から吹き出すとともに、その一部は排気口９を経由して屋外へ排出されるため、暖房運転中においても浴室２内の換気を行うことができる。浴室暖房乾燥機１を図２に示すような暖房モードで運転したとき、運転開始後の浴室２の温度変化を測定すると、図８に示すグラフの折れ線１９のような結果が得られた。折れ線１９は、運転開始から１５分経過時に一般的に人が暖房効果が得られたとして認める２５℃まで昇温し、その後も２５℃〜３０℃の範囲内で僅かながら昇温している。
【００２４】
このように、浴室暖房乾燥機１を暖房運転させた場合、運転開始後１５分が経過した時点で浴室２内の温度は２５℃に達しているため、浴室暖房乾燥機１は実用上問題のない暖房性能を有していることが判る。
【００２５】
図８に示すグラフの折れ線２０は、従来の浴室暖房乾燥機をダンパ１５が閉状態を維持したままで暖房運転した場合の浴室の温度変化を示すものである。従来の浴室暖房乾燥機をダンパ１５が閉状態のままで暖房運転させた場合、運転開始から１０分経過した時に、一般的に人が暖房効果が得られたとして認める２５℃まで昇温し、その後も僅かながら昇温している。
【００２６】
図８に示すグラフの折れ線１９，２０を比較すると、どちらも２５℃を超えると温度上昇率は小さくなり、折れ線１９，２０はいずれも横ばいとなっている。これはヒータの能力限界によるもので、加熱時間を長くしても温度を上げることはできない。そのため、要求以上の暖房温度を長時間続けることは省エネを考えると好ましくない。
【００２７】
従って、ダンパ１５の開度は、浴室暖房乾燥機１を配置した室内温度が２５℃となる経過点を確保でき、且つ２５℃以上を維持可能な開度に設定することが最も好ましい。そして、このようなダンパ開度に設定することにより、無駄なエネルギーを使うことなく、満足のいく暖房性能を得ることができ、且つ常時一定換気風量をも確保することができる。
【００２８】
一方、ダンパ１５は支軸１５ａを中心に揺動可能であるため、浴室暖房乾燥機１を暖房運転させる場合においても、図３に示すように、ダンパ１５の位置を変更することにより、送風ファン１２から吹出口１０、排気口９へ供給される空気の分配比率を変更することできる。すなわち、浴室２の大きさ等により換気量を定めるダンパ１５の位置を変化させることで、排気口９から排出される換気用の空気量を調整することができる。
【００２９】
次に、図４〜図６を参照して、本発明の第２実施形態である浴室暖房乾燥機について説明する。図４〜図６は本発明の第２実施形態である浴室暖房乾燥機３０を示す垂直断面図である。
【００３０】
図４に示すように、本実施形態の浴室暖房乾燥機３０においては、本体ケーシング３０ａに吸気口８、排気口９、吹出口１０および吸気口３１が設けられ、排気口９に排気ダクト３が接続され、他の居室と連通する吸気口３１に吸気ダクト４が接続されている。また、本体ケーシング３０ａの内部には、モータ１３で駆動される送風ファン１２と、送風ファン１２から吹出口１０に供給される空気を加温するためのヒータ１４と、送風ファン１２から吹出口１０、排気口９へ供給される空気の分配比率を設定するためのダンパ１５と、が設けられている。ダンパ１５は、空気流路１７に、支軸１５ａを中心に揺動可能に配置されている。
【００３１】
一方、本体ケーシング３０ａに設けられた、浴室以外の他の居室と連通する吸気口３１の内側部分には、吸気路３６と、この吸気路３６を開閉するためのシャッタ３５とが設けられている。シャッタ３５は、本体ケーシング３０ａの内面に水平方向に延設された棚状部材３５ｂ上に積層状態に配置された複数の平板材３５ａと、これらの平板材３５ａを水平方向にスライド可能に保持する連結機構（図示せず）とによって形成されている。シャッタ３５は複数の平板材３５ａを水平方向にスライドさせることにより、浴室２側の吸気口８および浴室以外の他の居室と連通する吸気口３１を開閉することができる。
【００３２】
浴室２のみを暖房するために浴室暖房乾燥機３０を運転させる場合、図４に示すように、シャッタ３５を棚状部材３５ｂ上に積層状態に収納することによって吸気路３６を閉塞すると、送風ファン１２により吸気口８から吸い込まれて外気流路１７に送り込まれる空気が、排気口９および吹出口１０の両方へ供給される。このとき、乾燥運転時に設定させたダンパ１５の開度と、従来の暖房運転時に設定させたダンパ１５の閉となった状態との中間位置より更に排気口９側に寄せた位置（排気口９が少し開となる位置）にダンパ１５が設定される。
【００３３】
この状態で、送風ファン１２およびヒータ１４を作動させると、送風ファン１２の作用により吸気口８から吸い込まれ外気流路１７に送り込まれる空気は、ダンパ１５で二方向に分流され、一方は排気口９に向かって流れ、他方は吹出口１０に向かって流れる。排気口９に向かって流れた空気は排気ダクト３へ流れ込み、その後、屋外へ排出される。吹出口１０に向かって流れた空気はヒータ１４によって加温され温風となって吹出口１０から浴室２へ吹き出され、浴室２の暖房に供される。
【００３４】
次に、図５に示すように、シャッタ３５を水平方向にスライドさせて吸気口８を閉塞するとともに吸気路３６を開放した状態で、送風ファン１２およびヒータ１４を作動させると、吸気口３１を経由して他の居室からの空気が吸気路３６に流れ込み、送風ファン１２を経て空気流路１７へ供給される空気は、ダンパ１５で二方向に分流され、一方は排気口９に向かって流れ、他方は吹出口１０に向かって流れる。
【００３５】
排気口９に向かって流れた空気は排気ダクト３へ流れ込み、その後、屋外へ排出され、吹出口１０に向かって流れた空気はヒータ１４によって加温され温風となって吹出口１０から浴室２へ吹き出され、浴室２の暖房に供される。このように、図５に示す状態にシャッタ３５をセットして送風ファン１２およびヒータ１４を作動させることにより、浴室２の暖房を行うと同時に他の居室の換気とを行うことができる。
【００３６】
これにより、暖房運転時においても、浴室２側からは換気されず、他の居室から換気されるので、一定の換気風量は常に確保することができる。また、浴室２は換気されないので、浴室２においては満足のいく暖房性能を得ることができる。
【００３７】
次に、図６に示すように、シャッタ３５を水平方向に半分程度スライドさせて吸気口８を半開状態にするとともに吸気路３６も半開した状態で、送風ファン１２およびヒータ１４を作動させると、吸気口８から浴室２の空気が吸い込まれるとともに、他の居室からの空気が吸気口３１を経由して吸気路３６に流れ込み、送風ファン１２を経て空気流路１７へ供給される。
【００３８】
空気流路１７へ送られた空気は、ダンパ１５で二方向に分流され、一方は排気口９に向かって流れ、他方は吹出口１０に向かって流れる。排気口９に向かって流れた空気は排気ダクト３へ流れ込み、その後、屋外へ排出され、吹出口１０に向かって流れた空気はヒータ１４によって加温され温風となって吹出口１０から浴室２へ吹き出され、浴室２の暖房に供される。
【００３９】
このように、図６に示す半開状態にシャッタ３５をセットして送風ファン１２およびヒータ１４を作動させることにより、浴室２の暖房および換気を行うと同時に他の居室の換気とを行うことができる。すなわち、浴室２および他の居室の両方の換気を並行して行うことができる。
【００４０】
また、浴室暖房乾燥機３０においては、シャッタ３５の浴室２および／または他の居室の吸気口３１の開度を変更したり、ダンパ１５の開度位置を変更したりすることにより、居室全体の面積の違いに応じて換気風量を効率良く調節することができるため、居室全体の面積に的確に対応した適切な換気風量を設定することができ、且つ満足のいく暖房性能を得ることができる。
【産業上の利用可能性】
【００４１】
本発明の浴室暖房乾燥機は、戸建て住宅や集合住宅などに設けられた浴室内を換気、暖房する装置として利用することができる。
【図面の簡単な説明】
【００４２】
【図１】本発明の第１実施形態である浴室暖房乾燥機を浴室に設置した状態を示す斜視図である。
【図２】図１に示す浴室暖房乾燥機の垂直断面図である。
【図３】図１に示す浴室暖房乾燥機の垂直断面図である。
【図４】本発明の第２実施形態である浴室暖房乾燥機を示す垂直断面図である。
【図５】図４に示す浴室暖房乾燥機の垂直断面図である。
【図６】図４に示す浴室暖房乾燥機の垂直断面図である。
【図７】（ａ）は従来の浴室暖房乾燥機が暖房運転している状態を示す垂直断面図であり、（ｂ）は前記浴室暖房乾燥機が換気運転している状態を示す垂直断面図であり、（ｃ）は前記浴室暖房乾燥機が乾燥運転している状態を示す垂直断面図である。
【図８】図２に示す浴室暖房乾燥機を暖房運転させたときの浴室の温度変化を示すグラフである。
【図９】従来の浴室暖房乾燥機を暖房運転させたときの浴室の温度変化を示すグラフである。
【図１０】従来の浴室暖房乾燥機を乾燥運転させたときの浴室の温度変化を示すグラフである。
【符号の説明】
【００４３】
１，３０  浴室暖房乾燥機
１ａ，３０ａ  本体ケーシング
２  浴室
２ａ  天井
３  排気ダクト
４  吸気ダクト
５  リモコン部
６  脱衣場
７  配線
８，３１  吸気口
９  排気口
１０  吹出口
１２  送風ファン
１３  モータ
１４  ヒータ
１５  ダンパ
１７  空気流路
１９，２０  折れ線
３５  シャッタ
３５ａ  板材
３５ｂ  棚状部材
３６  吸気路
【図１】
2005291604.tif 000003
【図２】
2005291604.tif 000004
【図３】
2005291604.tif 000005
【図４】
2005291604.tif 000006
【図５】
2005291604.tif 000007
【図６】
2005291604.tif 000008
【図７】
2005291604.tif 000009
【図８】
2005291604.tif 000010
【図９】
2005291604.tif 000011
【図１０】
2005291604.tif 000012